(57)【要約】【課題】表示画面の画質調整を容易なものとすることができる画像信号処理装置等を提供する。【解決手段】操作部５に対し画質パラメータの変更操作が行われたことに応答して、入力画像信号に基づいて１つの画面上に少なくとも２つの同一画像を表示するための画像信号Ｓ３を生成する。また、画像信号Ｓ３に含まれる一方の同一画像を表示する信号部分に対しては変更前のパラメータに基づく画質処理を行い、他方の同一画像を表示する信号部分に対しては変更後の画質パラメータに基づく画質処理を行う。【選択図】      図１
2004186927.tif 000002
【特許請求の範囲】
【請求項１】
入力画像信号の画質パラメータを変更するための操作を受付ける操作手段と、
前記操作手段により画質パラメータの変更操作が行われたことに応答して、入力画像信号に基づいて１つの画面上に少なくとも２つの同一画像を表示するための複数画面表示画像信号を生成する複数画面表示画像信号生成回路と、
前記操作手段により画質パラメータの変更操作が行われたことに応答して、１画面分の前記複数画面表示画像信号の一方の同一画像を表示する信号部分に対しては変更前の第１画質パラメータに基づく画質処理を行い、他方の同一画像を表示する信号部分に対しては変更後の第２画質パラメータに基づく画質処理を行う画質調整回路と、
を備えたことを特徴とする画像信号処理装置。
【請求項２】
前記第１画質パラメータおよび前記第２画質パラメータの設定値を表示する信号を生成する画質パラメータ表示信号生成回路と、前記画質パラメータ表示信号を前記複数画面表示画像信号に重畳する重畳回路とをさらに備えたことを特徴とする請求項１に記載の画像信号処理装置。
【請求項３】
前記複数画面表示画像信号生成回路は、１水平走査期間の入力画像データに対してその１／２水平走査期間分の画像データを記憶する第１ラインメモリと、前記第１ラインメモリに記憶される画像データと同一の１／２水平走査期間分の画像データを記憶する第２ラインメモリと、１水平走査期間の左右いずれか半分のうち一方の期間においては前記第１ラインメモリから書き込まれた１／２水平走査期間分の画像データを読出し、１水平走査期間の左右いずれか半分のうち他方の期間においては前記第２ラインメモリから書き込まれた１／２水平走査期間分の画像データを読み出す読出手段とを有し、
前記画質調整回路は、前記第１ラインメモリから読み出された１／２水平走査期間分の画像データを前記第１画質パラメータで調整し、前記第２ラインメモリから読み出された１／２水平走査期間分の画像データを前記第２画質パラメータで調整することを特徴とする請求項１に記載の画像信号処理装置。
【発明の詳細な説明】
【０００１】
【発明の属する技術分野】
本発明は、画質パラメータに応じた画質処理を実行する画像信号処理装置に関する。
【０００２】
【従来の技術】
従来、プラズマディスプレイパネル、液晶ディスプレイ、ＥＬディスプレイ、ＣＲＴなどの表示装置において、輝度、コントラスト、シャープネス、色相などの各種画質パラメータの調整を行う際、使用者が記憶している調整前の画面表示状態と、調整後の画面表示状態とを比較しながら、画面表示状態を適切にするように調整を行っている。
【０００３】
【発明が解決しようとする課題】
しかし、従来の画質調整の方法では調整前の画面表示状態を記憶し、これと調整後の画面表示状態を比較しなければならず、使用者の記憶に頼らなければならない。このため、調整の前後でどの程度画質が変化したか分かりにくく、適切な画質の調整が困難である。
【０００４】
本発明は、上記の問題を解決するためになされたものであり、表示画面の画質調整を容易なものとすることができる画像信号処理装置等を提供することを目的とする。
【０００５】
【課題を解決するための手段】
請求項１に記載の画像信号処理装置は、入力画像信号の画質パラメータを変更するための操作を受付ける操作手段と、前記操作手段により画質パラメータの変更操作が行われたことに応答して、入力画像信号に基づいて１つの画面上に少なくとも２つの同一画像を表示するための複数画面表示画像信号を生成する複数画面表示画像信号生成回路と、前記操作手段により画質パラメータの変更操作が行われたことに応答して、１画面分の前記複数画面表示画像信号の一方の同一画像を表示する信号部分に対しては変更前の第１画質パラメータに基づく画質処理を行い、他方の同一画像を表示する信号部分に対しては変更後の第２画質パラメータに基づく画質処理を行う画質調整回路と、を備えたことを特徴とする。
【０００６】
【発明の実施の形態】
以下、図１〜図３を参照して、本発明による画像信号処理装置の一実施形態について説明する。図１は本実施形態の画像信号処理装置を示すブロック図、図２は画像信号処理装置の動作に伴い画面に表示される画像の一例を示す図、図３は画像信号処理装置の動作タイミングを示すタイミングチャートである。
【０００７】
図１に示すように、本実施形態の画像信号処理装置１００は、入力画像信号を受けて画像のサイズを変更するリサイズ回路１と、リサイズ回路１から出力される画像データに基づいて、２つの同一画像を生成する２画像生成回路１０と、２画像生成回路１０から出力された画像データの画質を調整する画質調整回路３と、使用者の操作を受付ける操作部５と、画像信号処理装置各部を制御する制御回路６と、画質を規定する画質パラメータを画面上に重畳して表示させるための画像データを生成する重畳データ生成部７と、画像を表示する表示装置８とを備える。
【０００８】
２画像生成回路１０は、リサイズ回路１から出力される画像データを順次記憶する１／２ラインメモリ１１Ａおよび１／２ラインメモリ１１Ｂと、画像データを格納する１／２ラインメモリを選択するためのセレクタ１２と、画像データを読み出す１／２ラインメモリを選択するためのセレクタ１４と、を備える。
【０００９】
次に、図２および図３を参照して、本実施形態の画像信号処理装置１００の動作について説明する。画像信号処理装置１００の動作は、制御回路６による制御に基づいて実行される。
【００１０】
図２（ａ）は、通常時、すなわち画質を調整していない時における表示装置８の表示画面例を示している。
【００１１】
この場合には、リサイズ回路１に入力される入力画像信号は、リサイズ回路１においてリサイズ処理を施されることなく、２画像生成回路１０に向けて入力画像信号Ｓ１として出力される。２画像生成回路１０のセレクタ１２は、入力画像信号Ｓ１を１／２ラインメモリ１１Ａおよび１／２ラインメモリ１１Ｂに１／２水平走査期間分のデータずつ交互に振り分けて格納するように、制御回路６によって切り替えられる。すなわち、１水平走査期間の入力画像信号Ｓ１のうち、表示装置８の画面の左側半分を構成する画像データは１／２ラインメモリ１１Ａに格納される。また、１水平走査期間の入力画像信号Ｓ１のうち、表示装置８の画面の右側半分を構成する画像データは１／２ラインメモリ１１Ｂに格納される。
【００１２】
また、１／２ラインメモリ１１Ａおよび１／２ラインメモリ１１Ｂに格納された画像データを読み出す際には、原画像が再現されるように制御回路６によってセレクタ１４が切り替えられ、画質調整回路３に向けて入力画像信号Ｓ１に対応する画像信号Ｓ２が出力される。すなわち、表示装置８の画面の左側半分を構成する画像データは１／２ラインメモリ１１Ａから、表示装置８の画面の右側半分を構成する画像データは１／２ラインメモリ１１Ｂから、それぞれ読み出され、画像信号Ｓ２として出力される。
【００１３】
画像信号Ｓ２は画質調整回路３において画質を調整され、表示装置８に向けて画像信号Ｓ３として出力される。表示装置８には、例えば、図２（ａ）に示すような原画像が表示される。
【００１４】
一方、図２（ｂ）は、画質調整時における表示装置８の表示画面例を示している。
【００１５】
制御回路６は、操作部５に対し画質調整のための操作が実行されたことを検出すると、画像信号処理装置１００の各部を制御して表示装置８の表示画面を図２（ｂ）に示すような画面に切り替える。図３は、画質調整が行われている場合の動作タイミングを示すタイミングチャートである。
【００１６】
画質調整が行われている場合には、リサイズ回路１に入力される入力画像信号は、リサイズ回路１においてリサイズ処理を施されることなく、２画像生成回路１０に向けて入力画像信号Ｓ１として出力される。２画像生成回路１０のセレクタ１２は、画面の左側半分を構成する同一の画像データを１／２ラインメモリ１１Ａおよび１／２ラインメモリ１１Ｂにそれぞれ格納するように、制御回路６によって切り替えられる。すなわち、図３に示すように、水平同期信号によって区画された入力画像信号Ｓ１の各１水平ライン分の画像データＡ１，Ａ２・・・のうち、それぞれ前半部分に位置する画面の左側半分を構成する１／２ライン分の画像データのみを１／２ラインメモリ１１Ａおよび１／２ラインメモリ１１Ｂに格納する。このとき格納される１／２ラインメモリ１１Ａおよび１／２ラインメモリ１１Ｂの画像データは互いに同一である。また、１水平走査期間の入力画像信号のうち、表示装置８の画面の右側半分を構成する画像データ、すなわち、各１水平ライン分の画像データＡ１，Ａ２・・・のうち、それぞれ後半部分に位置する１／２ライン分の画像データはいずれの１／２ラインメモリにも格納されず、表示画面を構成する画像データとして使用されない。
【００１７】
１／２ラインメモリ１１Ａおよび１／２ラインメモリ１１Ｂに格納された画像データを読み出す際には、１／２ラインメモリ１１Ａおよび１／２ラインメモリ１１Ｂに格納された画像データを１／２ライン分ずつ交互に読み出すように、制御回路６によってセレクタ１４が切り替えられる。このため、画質調整回路３には、表示装置８の画面の左側半分を構成する同一の画像データＡ１，Ａ２・・・がそれぞれ２回ずつ連続して構成される画像信号Ｓ２が入力される。
【００１８】
画質調整回路３における画質パラメータは、制御回路６により画像データの入力されるタイミングに合わせて、すなわち水平同期信号の周期の１／２の周期で切り替えられる。切り替えられる画質パラメータの１つは、画質調整前のパラメータであり、もう１つの画質パラメータは調整後（調整中を含む）のパラメータである。これらを水平同期信号の周期の１／２の周期で交互に切り替えることにより、画質調整前のパラメータに従った画像を画面の左側に、画質調整後のパラメータに従った画像を画面の右側に、それぞれ割り当てることができるため、画質パラメータの異なる同一画像を画面上に左右に並べて表示させることができる。
【００１９】
図３では、画質調整回路３から出力される画像信号Ｓ３に含まれる画像データのうち、調整前の画質パラメータに従った画像データをＡ１ａ，Ａ２ａ・・・として示し、調整後の画質パラメータに従った画像データをＡ１ｂ，Ａ２ｂ・・・として示している。図３に示すように、画質調整回路３からは水平同期信号で区画された１水平走査期間の前半では調整前の画質パラメータに従った画像データが出力され、１水平走査期間の後半では調整後の画質パラメータに従った同一の画像データが出力される。したがって、図２（ｂ）に示すように、表示装置８の画面の左側半分には調整前の画質パラメータに従った画像２１が、表示装置８の画面の右側半分には調整後の画質パラメータに従った画像２２が、それぞれ表示されることになる。
【００２０】
また、重畳データ生成部７では制御回路６からの指令に従って、調整後の画質パラメータを示す画像の画像信号を生成し、加算部９において画質調整回路３から出力される画像信号にこれを重畳して画像信号Ｓ３を生成する。図２（ｂ）に示すように、重畳データ生成部７で生成された画像信号に基づいて、調整前の画質パラメータの値を示す表示２３が画面の左側半分の領域に、調整後の画質パラメータの値を示す表示２４が画面の右側半分の領域に、それぞれ重畳表示される。
【００２１】
使用者が操作部５に対し、画質パラメータの調整を行うための操作を実行すると、画質パラメータの値の変化に応じた画像が実質的にリアルタイムで、調整前の画像と並んで表示される。また、そのときの画質パラメータの値を認識することもできる。このため、使用者は、異なる値の画質パラメータに従って画面の左右に表示された同一画像を比較しつつ画質パラメータの値を調整することにより、容易に最適な画質を得ることができる。
【００２２】
本実施形態において、画質パラメータとしては、コントラスト、シャープネス、色相等がある。
【００２３】
リサイズ回路１におけるリサイズ処理を実行することにより、画質の調整時に原画像と異なるサイズの画像を表示させるようにしてもよい。この場合、画像の表示サイズを使用者の操作に基づいて可変できるようにしてもよい。図２（ｃ）は、画質の調整時に原画像を縮小して表示する例を示している。図２（ｂ）と対比すると明らかなように、図２（ｃ）では、画質の調整前後での同一の画像２１Ａ，２２Ａを原画像よりも縮小したうえで、並べて表示するようにしている。このように画像を縮小して表示することにより、原画像の全体ないし原画像のうちの広い領域にわたって同一の画像を並べて表示することができる。したがって、画像を縮小することで、画質パラメータをより的確に設定できる場合もある。図２（ｃ）において、画質調整前の画像が画像２１Ａであり、画質調整後の画像が画像２２Ａである。また、表示２３Ａは画質調整前の画質パラメータを、表示２４Ａは画質調整後の画質パラメータを、それぞれ示している。
【００２４】
上記実施形態では、画質調整時に同一の動画を並べて表示する場合を例示したが、動画の代わりに静止画を表示させるようにしてもよい。
【００２５】
上記実施形態では、画質調整前の画像を左側に、画質調整後の画像を右側に、それぞれ表示しているが画像の配置方法は制限されない。例えば、画質の異なる２つの同一画像を画面の上側と下側にそれぞれ配置してもよい。また、３つ以上の同一画像を並べて表示してもよく、この場合には画質パラメータの値を互いに異ならせて表示させることができる。
【００２６】
以上説明したように、上記実施形態では、画質パラメータを変更するための操作を受付ける操作部５と、操作部５により画質パラメータの変更操作が行われたことに応答して、入力画像信号に基づいて１つの画面上に２つの同一画像を表示するための画像信号Ｓ３を生成する２画像生成回路１０と、操作部５により画質パラメータの変更操作が行われたことに応答して、１画面分の画像信号の一方の同一画像を表示する信号部分に対しては変更前の画質パラメータに基づく画質処理を行い、他方の同一画像を表示する信号部分に対しては変更後の画質パラメータに基づく画質処理を行う画質調整回路３と、を備えるので、使用者は画質調整前後の画像を比較しながら画質パラメータを最適化することができる。このため、画質の調整を容易かつ確実に行うことができる。
【００２７】
上記実施形態および特許請求の範囲の記載に関し、操作部５は「操作手段」に、制御回路６は「読出手段」に、重畳データ作成部７は「画質パラメータ表示信号生成回路」に、加算部９は「重畳回路」に、２画像生成回路１０は「複数画面表示画像信号生成回路」に、１／２ラインメモリ１１Ａは「第１ラインメモリ」に、１／２ラインメモリ１１Ｂは「第２ラインメモリ」に、セレクタ１４は「読出手段」に、それぞれ対応する。
【図面の簡単な説明】
【図１】本実施形態の画像信号処理装置を示すブロック図。
【図２】画像信号処理装置の動作に伴い画面に表示される画像の一例を示す図。
【図３】画像信号処理装置の動作タイミングを示すタイミングチャート。
【符号の説明】
３      画質調整回路
５      操作部（操作手段）
６      制御回路（読出手段）
７      重畳データ作成部（画質パラメータ表示信号生成回路）
９      加算部（重畳回路）
１０    ２画像生成回路（複数画面表示画像信号生成回路）
１１Ａ  １／２ラインメモリ（第１ラインメモリ）
１１Ｂ  １／２ラインメモリ（第２ラインメモリ）
１４    セレクタ（読出手段）
【図１】
2004186927.tif 000003
【図２】
2004186927.tif 000004
【図３】
2004186927.tif 000005